(57)【要約】      （修正有）【課題】制御が容易な押しボタンスイッチを人感スイッチに増設することで、異なる場面への応用を可能とし、また、低コストが実現され、操作が簡便となり、且つ装着スペースの節約となるコンビネーションスイッチパネルを提供する。【解決手段】照明器具及び電気機器のスイッチ制御に関する技術分野に応用されるコンビネーションスイッチパネルであって、人感スイッチＫ１と、少なくとも１つの押しボタンスイッチ又はタッチスイッチと、スイッチパネルと、少なくとも１つのスイッチスロットを含む。人感スイッチＫ１は、第１押しボタンスイッチ又はタッチスイッチＫ２１に並列に接続される。【選択図】図３
0003231907.tif 000002
【実用新案登録請求の範囲】
【請求項１】
人感スイッチＫ１（１）と、
少なくとも１つの押しボタンスイッチ又はタッチスイッチＫ２（２）と、
スイッチと一致するスイッチスロット（４）が設けられたスイッチパネル（３）と、を含み、
前記人感スイッチＫ１（１）は、第１押しボタンスイッチ又はタッチスイッチＫ２１（２１）に並列に接続されることを特徴とするコンビネーションスイッチパネル。
【請求項２】
前記人感スイッチ（１）には、更に、第２押しボタンスイッチ又はタッチスイッチＫ２２（２２）が直列に接続されることを特徴とする請求項１に記載のコンビネーションスイッチパネル。
【請求項３】
前記第２押しボタンスイッチ又はタッチスイッチＫ２２（２２）が開離した場合、前記人感スイッチＫ１（１）は回路の開閉を制御せず、前記第１押しボタンスイッチ又はタッチスイッチＫ２１（２１）が回路の開閉を制御することを特徴とする請求項２に記載のコンビネーションスイッチパネル。
【請求項４】
前記第２押しボタンスイッチ又はタッチスイッチＫ２２（２２）が閉成した場合、前記人感スイッチＫ１（１）と前記第１押しボタンスイッチ又はタッチスイッチＫ２１（２１）の双方が回路の開閉を制御可能となることを特徴とする請求項２に記載のコンビネーションスイッチパネル。
【請求項５】
前記スイッチパネル（３）には更に蛍光フィルム（５）が設置されていることを特徴とする請求項１〜４のいずれか１項に記載のコンビネーションスイッチパネル。
【考案の詳細な説明】
【技術分野】
【０００１】
本考案は、照明器具及び電気機器のスイッチ制御の技術分野に関し、より具体的にはコンビネーションスイッチパネルに関する。
【背景技術】
【０００２】
従来の人感スイッチは、人の活動を感知したときにスイッチをオンの位置に設定して数秒間待機し、待機終了までに人体の活動が検出されなければスイッチをオフの位置に設定する。
【０００３】
人感スイッチが人の活動を検出してスイッチをオンにしたあと、一定時間内に引き続き人体の活動が検出されなかった場合にはスイッチがオフとなるが、往々にしてユーザはこのようなオフを望んでいない。また、ユーザは一時的に人感機能を使用したくない場合もあるが、単純なセンサスイッチには動作を停止させるための操作方法が備わっていない。また、多連結型のスイッチパネルを使用する照明器具の場合には、ユーザがいずれかの照明器具を人感スイッチに変更したいと思っても、予め設置されている回路とスイッチパネルの位置が限定的であるため、従来の独立したセンサスイッチパネルでは要望を満たすことができない。
【０００４】
これらの課題を解決するために、人感スイッチとその他のスイッチを組み合わせて１つのパネルとする方案を提供することが、当業者にとって早急に解決を要する課題となっている。
【考案の概要】
【考案が解決しようとする課題】
【０００５】
上記に鑑みて、本考案はコンビネーションスイッチパネルを提供する。
【課題を解決するための手段】
【０００６】
上記の目的を実現するために、本考案では以下の技術方案を用いる。
【０００７】
コンビネーションスイッチパネルは、人感スイッチＫ１と、少なくとも１つの押しボタンスイッチ又はタッチスイッチＫ２と、上記のスイッチと一致するスイッチスロットが設けられたスイッチパネル、を含む。前記人感スイッチは、第１押しボタンスイッチ又はタッチスイッチＫ２１に並列に接続される。
【０００８】
好ましくは、前記人感スイッチには、更に、第２押しボタンスイッチ又はタッチスイッチＫ２２が直列に接続される。
【０００９】
好ましくは、前記第２押しボタンスイッチ又はタッチスイッチＫ２２が開離した場合、前記人感スイッチＫ１は回路の開閉を制御せず、前記第１押しボタンスイッチ又はタッチスイッチＫ２１が回路の開閉を制御する。
【００１０】
好ましくは、前記第２押しボタンスイッチ又はタッチスイッチＫ２２が閉成した場合、前記人感スイッチＫ１と前記第１押しボタンスイッチ又はタッチスイッチＫ２１の双方が回路の開閉を制御可能となる。
【００１１】
好ましくは、スイッチパネルには更に蛍光フィルムが設置されている。
【考案の効果】
【００１２】
本考案は、従来技術と比較して、以下の技術的効果が得られる。
【００１３】
制御が容易な押しボタンスイッチを人感スイッチに増設することで、異なる場面への応用が可能となる。また、低コストが実現され、操作が簡便となる。且つ、装着スペースの節約にもなる。
【図面の簡単な説明】
【００１４】
【図１】図１は、本考案のコンビネーションスイッチパネルの構造を示す図である。
【図２】図２は、本考案のコンビネーションスイッチの接続構造を示す図である。
【図３】図３は、本考案のコンビネーションスイッチの別の接続構造を示す図である。
【考案を実施するための形態】
【００１５】
以下に、本考案の実施例における図面を組み合わせて、本考案の実施例にかかる技術方案につき明瞭簡潔に述べる。なお、言うまでもなく、記載する実施例は本考案の実施例の一部にすぎず、全ての実施例ではない。また、本考案の実施例に基づいて当業者が創造的労働を要することなく取得するその他あらゆる実施例は、いずれも本考案の保護の範囲に属する。
【実施例１】
【００１６】
図１〜３を参照して、本考案の実施例はコンビネーションスイッチパネルを開示する。当該コンビネーションスイッチパネルは、人感スイッチＫ１  １と、少なくとも１つの押しボタンスイッチ又はタッチスイッチＫ２  ２と、上記のスイッチと一致するスイッチスロット４が設けられたスイッチパネル３、を含む。
【００１７】
人感スイッチＫ１  １は、第１押しボタンスイッチ又はタッチスイッチＫ２１  ２１に並列に接続される。
【００１８】
具体的実施例では、図３を参照して、人感スイッチＫ１  １には更に第２押しボタンスイッチ又はタッチスイッチＫ２２  ２２が直列に接続される。
【００１９】
具体的実施例において、第２押しボタンスイッチ又はタッチスイッチＫ２２  ２２が開離した場合、人感スイッチＫ１  １は回路の開閉を制御せず、前記第１押しボタンスイッチ又はタッチスイッチＫ２１  ２１が回路の開閉を制御する。
【００２０】
具体的実施例において、第２押しボタンスイッチ又はタッチスイッチＫ２２  ２２が閉成した場合、人感スイッチＫ１  １と第１押しボタンスイッチ又はタッチスイッチＫ２１  ２１の双方が回路の開閉を制御可能となる。
【００２１】
別の具体的実施例において、スイッチパネル３には更に蛍光フィルム５が設置されている。
【００２２】
本明細書の各実施例は漸進的方式で記載している。各実施例では主にその他の実施例との違いを説明しており、各実施例間の同様及び類似部分については相互に参照すればよい。また、実施例で開示した装置については、実施例で開示した方法に対応しているためやや簡単に記載している。よって、関連個所については方法部分の説明を参照すればよい。
【００２３】
開示した実施例に関する上記の説明から、当業者は本考案を実現又は使用することが可能である。これら実施例の様々な修正は当業者にとって自明である。本文中で定義した一般的な原理は、本考案の精神又は範囲を逸脱しないことを前提に、その他の実施例で実現可能である。よって、本考案は本文中で提示したこれらの実施例に制限されず、本文中で開示した原理及び新規な特性と一致する最も広い範囲を満たすものとする。
【符号の説明】
【００２４】
１  人感スイッチＫ１
２  押しボタンスイッチ又はタッチスイッチＫ２
２１  第１押しボタンスイッチ又はタッチスイッチＫ２１
２２  第２押しボタンスイッチ又はタッチスイッチＫ２２
３  コンビネーションスイッチパネル
４  スイッチスロット
４１  第１スイッチスロット
４２  第２スイッチスロット
４３  第３スイッチスロット
５  蛍光フィルム
【図１】
0003231907.tif 000003
【図２】
0003231907.tif 000004
【図３】
0003231907.tif 000005